(57)【要約】【課題】入金処理に関する入金処理情報の集計処理結果と、貨幣収容部から回収した貨幣とが合致しなくなる問題を可及的に防止すること。【解決手段】紙幣収容金庫を内部収容室に収容するとともに、内部収容室を開閉する内扉体と本体筐体との間に内部施錠手段を設け、この内部施錠手段の施解錠状態を検出する施解錠検出手段が解錠状態を検出した場合に主制御部は集計処理部を通じて入金処理情報の集計処理を実行するようにしている。【選択図】        図６
2005284360.tif 000002
【特許請求の範囲】
【請求項１】
投入された貨幣に応じて所定の入金処理を実行した場合に、当該入金処理に関する入金処理情報を都度記録するとともに、投入された貨幣を貨幣収容部に収容する貨幣入金処理装置であって、
貨幣収容部が操作されたか否かを検出する操作検出手段を設け、操作検出手段によって貨幣収容部の操作が検出された場合に入金処理情報の集計処理を実行することを特徴とする貨幣入金処理装置。
【請求項２】
閉成した場合に貨幣収容部への操作を阻止する一方、開成した場合に貨幣収容部への操作を許容する扉体を備え、
操作検出手段は貨幣収容部の扉が開成された場合に貨幣収容部が操作されたものとしてこれを検出するものであることを特徴とする請求項１に記載の貨幣入金処理装置。
【請求項３】
貨幣収容部の内部に貨幣が存在するか否かを検出する貨幣検出手段を設けるとともに、外部へ報知を行う報知手段を設け、入金処理情報の集計処理を実行した後に貨幣検出手段によって貨幣の存在が検出された場合に報知手段を駆動することを特徴とする請求項１に記載の貨幣入金処理装置。
【請求項４】
入金処理情報の集計処理を実行した場合には、当該集計処理の結果をサーバ装置に対してアップロードすることを特徴とする請求項１に記載の貨幣入金処理装置。
【発明の詳細な説明】
【技術分野】
【０００１】
本発明は、投入された貨幣に応じて所定の入金処理を実行した場合に、当該入金処理に関する入金処理情報を都度記録するとともに、投入された貨幣を貨幣収容部に収容する貨幣入金処理装置に関するものである。
【背景技術】
【０００２】
例えば、非接触ＩＣカードへ追加入金処理を行う貨幣入金処理装置では、利用者がＩＣカードを挿入すると、ＩＣカードに記録された金額情報がカード処理部を通じて読み取られ、この金額情報によって特定される残高が表示部を通じて外部に表示される。この状態から利用者が貨幣を投入すると、貨幣鑑別部によって投入貨幣の金種が鑑別され、金種に応じた金額が先に読み取ったＩＣカードの残高に加算される。その後、この加算処理の結果に応じた金額情報がカード処理部を通じてＩＣカードに記録され、結局、ＩＣカードの残高が、投入貨幣の金額を加算した残高に更新される。この間、貨幣鑑別部によって鑑別された貨幣は、装置本体の内部に設けた貨幣収容部に収容されることになる。
【０００３】
この貨幣入金処理装置では、入金処理に関する入金処理情報を都度記録し、その集計処理の結果を予め設定した時刻に定期的に遠隔のサーバ装置に自動送信するようにしている（例えば、特許文献１参照）。
【０００４】
【特許文献１】特開２００３−３６４６６号公報
【発明の開示】
【発明が解決しようとする課題】
【０００５】
ところで、入金処理情報の集計処理を行った場合には、それまでに記録していた入金処理情報をクリアするとともに、貨幣収容部に収容した貨幣を回収する必要がある。しかしながら、上記のように集計処理の結果をサーバ装置に自動送信するようにした入金処理装置にあっては、貨幣収容部に収容した貨幣の回収を怠った場合、サーバ装置に送信した入金処理情報と回収した貨幣とが合致しなくなる問題が生じる虞れがある。逆に、サーバ装置に集計処理の結果を送信することなく貨幣収容部に収容した貨幣を回収した場合にも、入金処理情報と回収した貨幣とが合致しなくなる問題を生じる。
【０００６】
尚、こうした問題は、投入された貨幣に応じてＩＣカードの残高を加算処理するものに限らず、例えば精算機、チケット販売機、両替機等々、投入された貨幣に応じて入金処理を実行するとともに、投入された貨幣を貨幣収容部に収容する貨幣入金処理装置において共通の課題となっている。
【０００７】
本発明は、上記実情に鑑みて、入金処理に関する入金処理情報の集計処理結果と、貨幣収容部から回収した貨幣とが合致しなくなる問題を可及的に防止することのできる貨幣入金処理装置を提供することを目的とする。
【課題を解決するための手段】
【０００８】
上記の目的を達成するために、本発明の請求項１に係る貨幣入金処理装置は、投入された貨幣に応じて所定の入金処理を実行した場合に、当該入金処理に関する入金処理情報を都度記録するとともに、投入された貨幣を貨幣収容部に収容する貨幣入金処理装置であって、貨幣収容部が操作されたか否かを検出する操作検出手段を設け、操作検出手段によって貨幣収容部の操作が検出された場合に入金処理情報の集計処理を実行することを特徴とする。
【０００９】
また、本発明の請求項２に係る貨幣入金処理装置は、上述した請求項１において、閉成した場合に貨幣収容部への操作を阻止する一方、開成した場合に貨幣収容部への操作を許容する扉体を備え、操作検出手段は貨幣収容部の扉が開成された場合に貨幣収容部が操作されたものとしてこれを検出するものであることを特徴とする。
【００１０】
また、本発明の請求項３に係る貨幣入金処理装置は、上述した請求項１において、貨幣収容部の内部に貨幣が存在するか否かを検出する貨幣検出手段を設けるとともに、外部へ報知を行う報知手段を設け、入金処理情報の集計処理を実行した後に貨幣検出手段によって貨幣の存在が検出された場合に報知手段を駆動することを特徴とする。
【００１１】
また、本発明の請求項４に係る貨幣入金処理装置は、上述した請求項１において、入金処理情報の集計処理を実行した場合には、当該集計処理の結果をサーバ装置に対してアップロードすることを特徴とする。
【発明の効果】
【００１２】
本発明によれば、貨幣収容部に収容された貨幣を回収すべく貨幣収容部が操作された場合に操作検出手段によってこれが検出され、この検出結果に従って入金処理情報の集計処理が実行されることになるため、入金処理に関する入金処理情報の集計処理結果と、貨幣収容部から回収した貨幣とが合致しなくなる問題を防止することが可能になる。
【００１３】
この場合、入金処理情報の集計処理を実行した後に貨幣検出手段が貨幣を検出した場合に報知手段によってこれを報知すれば、貨幣収容部からの貨幣の回収を確実に実行させることができるようになる。
【発明を実施するための最良の形態】
【００１４】
以下に添付図面を参照して、本発明に係る貨幣入金処理装置の好適な実施の形態について詳細に説明する。
【００１５】
図１は、本発明の実施の形態である貨幣入金処理装置の外観を示した斜視図、図２は、貨幣入金処理装置の内部を示す斜視図、図３は、貨幣入金処理装置のさらに内部を示す斜視図、図４は、貨幣入金処理装置の内部構成を示すブロック図である。
【００１６】
ここで例示する貨幣入金処理装置は、電子マネーシステムに適用される非接触型のＩＣカードＣに対して追加入金を行うためのもので、特に、取扱貨幣を紙幣に限定したＩＣカード用入金装置を示している。これら図１〜図４に示すように、ＩＣカード用入金装置は、装置本体１０を備えるとともに、この装置本体１０の前面に表示器２０、紙幣投入口３１、操作ボタン４０，４１，４２、カード載置台５１及びレシート排出口６１を備えている。
【００１７】
装置本体１０は、前面が開口した本体筐体１１と、この本体筐体１１の前面開口を開閉する態様で配設した外扉体１２とを備えて構成したものである。本体筐体１１の内部には、その上方部に前面が開口した内部収容室１３が構成してあるとともに、内部収容室１３の前面開口を開閉する態様で内扉体１４が配設してある。
【００１８】
本体筐体１１と外扉体１２との間には外部施錠手段７０が設けてあるとともに、本体筐体１１と内扉体１４との間には内部施錠手段８０が設けてある。
【００１９】
外部施錠手段７０は、外部キー孔７１から外部キーを挿入して操作した場合に施解錠の切り替えが可能になるもので、施錠状態において本体筐体１１に対する外扉体１２の開成移動を阻止する一方、解錠状態において本体筐体１１に対する外扉体１２の開成移動を許容するように構成してある。
【００２０】
内部施錠手段８０は、外部施錠手段７０と同様に、内部キー孔８１から内部キーを挿入して操作した場合に施解錠の切り替えが可能になるもので、施錠状態において本体筐体１１に対する内扉体１４の開成移動を阻止する一方、解錠状態において本体筐体１１に対する内扉体１４の開成移動を許容するように構成してある。
【００２１】
外部施錠手段７０に関しては外扉体１２の前面に外部キー孔７１が設けてあり、内部施錠手段８０に関しては本体筐体１１において外扉体１２を開成した場合にのみ外部に露出する部位に内部キー孔８１が設けてある。
【００２２】
また、内部施錠手段８０には、施解錠検出手段８２が付設してある。施解錠検出手段８２は、内部施錠手段８０が施錠状態にあるか解錠状態にあるかを検出するものである。施解錠検出手段８２の検出結果は、内部収容室１３に設けた後述の主制御部９０に与えられることになる。
【００２３】
表示器２０は、後述の主制御部９０から表示情報が与えられた場合に、当該表示情報に従ってＩＣカードＣの残高や投入紙幣の金額を表示するためのものである。この表示器２０は、例えば内部収容室１３に液晶表示装置を配設することによって構成したもので、内扉体１４の開口１４ａ及び外扉体１２の開口１２ａを通じて外扉体１２の前面最上部に横長となる態様で配設してある。
【００２４】
紙幣投入口３１は、内部収容室１３に配設した紙幣鑑別部３０から内扉体１４の開口１４ｂ及び外扉体１２の開口１２ｂを通じて外部に露出し、外扉体１２の外部から投入された紙幣を紙幣鑑別部３０に取り込むための開口であり、外扉体１２の前面において表示器２０の下方となる部位に配設してある。紙幣鑑別部３０は、紙幣投入口３１を介して取り込んだ紙幣の金種を識別するものである。紙幣鑑別部３０による紙幣の鑑別結果は後述の主制御部９０に与えられる一方、鑑別後の紙幣は内部収容室１３において紙幣鑑別部３０の下方となる部位に配設した紙幣収容金庫（貨幣収容部）３２に収容されることになる。この紙幣収容金庫３２には、紙幣検出手段３３が設けてある。紙幣検出手段３３は、紙幣収容金庫３２の内部に紙幣が有るか否かを検出し、その検出結果を後述の主制御部９０に与えるものである。
【００２５】
操作ボタン４０，４１，４２は、利用者が処理を選択するための押ボタンスイッチである。本実施の形態では、入金処理を実行するための入金ボタン４０、入金処理を取り消すための取消ボタン４１、及び領収書となるレシートＲを出力するためのレシートボタン４２が設けてある。これら入金ボタン４０、取消ボタン４１及びレシートボタン４２の操作信号は、後述の主制御部９０に与えられることになる。
【００２６】
カード載置台５１は、入金対象となるＩＣカードＣを載置した場合に当該ＩＣカードＣをカード処理部１００の処理可能領域に位置決め配置させるためのもので、外扉体１２の前面に設けた凹部５０の内部に構成してある。より具体的に説明すると、外扉体１２の前面下部から奥方に向けて漸次上方に傾斜する上面５０ａと、外扉体１２の前面中央部から内方に向けて漸次下方に湾曲する奥面５０ｂと、外扉体１２の前面両側部から互いに平行となる態様で内方に向けて延在した一対の側面５０ｃとを有するように外扉体１２の前面に凹部５０が設けてあり、この凹部５０の上面５０ａがＩＣカードＣを載置するためのカード載置台５１として機能する。このカード載置台５１は平坦であり、ＩＣカードＣよりも十分に大きな矩形状に構成してある。カード処理部１００は、ＩＣカードＣがカード載置台５１に載置された場合にＩＣカードＣの内部に設けたアンテナＣａとの間において微弱電波を利用した無線通信が可能となり、非接触状態においてＩＣカードＣに記録された金額情報等、各種情報の読み取りを行うとともに、ＩＣカードＣに対して金額情報等、各種情報の書き込みを行うものである。カード処理部１００によるＩＣカードＣの読み取り結果は、後述の主制御部９０に与えられることになる。
【００２７】
また、カード載置台５１には、その下端縁部にストッパ部材５２が設けてある。ストッパ部材５２は、カード載置台５１から上方に突設した平板状部材であり、それぞれの側面５０ｃとの間にＩＣカードＣが脱落しないだけの間隙を確保する幅を有し、かつＩＣカードＣの板厚よりも十分な高さに形成してある。尚、このストッパ部材５２は、載置したＩＣカードＣの視認性を十分に確保すべく、透明な合成樹脂によって成形することが好ましい。
【００２８】
レシート排出口６１は、印字部６０から出力されたレシートＲを外部に排出するための開口である。本実施の形態では、上述した凹部５０の奥面５０ｂ上部にレシート排出口６１を設けることにより、このレシート排出口６１を通じて排出されたレシートを凹部５０の上面５０ａ、つまりカード載置台５１の上面５０ａに排出するように構成してある。印字部６０は、後述の主制御部９０から印字情報が与えられた場合に駆動して印字出力を行うもので、本体筐体１１の内部において内部収容室１３よりも下方となる室１５に配設してある。尚、この室１５は、内扉体１４を閉成した場合にも外部に露出した状態となる部位に構成したものである。
【００２９】
さらに、上記ＩＣカード用入金装置は、図４に示すように、処理情報格納部１１０、集計処理部１２０、外部通信処理部１３０、報知手段１４０及び主制御部９０を備えている。処理情報格納部１１０は、後述の主制御部９０から入金処理情報が与えられた場合に、これを都度記録するための記憶手段である。集計処理部１２０は、後述の主制御部９０から動作指令が与えられた場合に処理情報格納部１１０に記録された入金処理情報の集計を行い、その集計結果を主制御部９０に返送するものである。外部通信処理部１３０は、公衆回線を通じて遠隔のサーバ装置Ｓと通信を行うためのものである。報知手段１４０は、主制御部９０から駆動信号が与えられた場合に外部に対して報知を行うものである。本実施の形態では、主制御部９０から駆動信号が与えられた場合にスピーカから警告音を発するようにした報知手段１４０を適用している。主制御部９０は、ＩＣカード用入金装置の各部を統括的に制御するためのものである。具体的に説明すると、主制御部９０は、施解錠検出手段８２の検出結果、紙幣鑑別部３０による紙幣の鑑別結果、紙幣検出手段３３の検出結果、操作ボタン４０，４１，４２の操作信号、カード処理部１００による読取情報が与えられた場合に、予めメモリ１５０に格納されたプログラムや初期データに基づいて表示器２０、紙幣鑑別部３０、カード処理部１００、印字部６０、処理情報格納部１１０、集計処理部１２０、外部通信処理部１３０、報知手段１４０の制御を行うことにより、非接触型のＩＣカードＣに対する追加入金処理を実現するものである。尚、図には明示していないが、非接触型のＩＣカードＣを適用する電子マネーシステムにおいては、上述したＩＣカード用入金装置と同様の構成を有した多数のＩＣカード用入金装置が公衆回線を通じてサーバ装置Ｓに接続されている。
【００３０】
図５は、ＩＣカードＣに追加入金を行う場合に主制御部９０が実行する処理の内容を示したフローチャートである。以下、このフローチャートを参照しながらＩＣカード用入金装置において追加入金処理を行う場合の動作について説明する。
【００３１】
まず、主制御部９０は、カード処理部１００を通じてカード載置台５１にＩＣカードＣが載置されたか否かを監視している（ステップＳ１０１）。この状態から利用者によってカード載置台５１にＩＣカードＣが載置され、カード処理部１００を通じてこれを確認すると、主制御部９０は、カード処理部１００によるＩＣカードＣの読み取り結果に基づいて、例えばＩＣカードＣの識別情報に基づいて、当該ＩＣカードＣが正規のものであるか否かの判断を行う（ステップＳ１０２）。ＩＣカードＣが正規のものでないと判断した場合、主制御部９０は、表示器２０を通じてその旨表示を行い（ステップＳ１０３）、その後、今回の処理を終了する。
【００３２】
一方、カード載置台５１に載置されたＩＣカードＣが正規のものであると判断した場合、主制御部９０は、カード処理部１００を通じて読み取った金額情報に基づいて残高を特定し、表示器２０を通じて残高の表示を行う（ステップＳ１０４）。この結果、ＩＣカード用入金装置の利用者は、自己の所有するＩＣカードＣの残高を認識することができるようになる。
【００３３】
これらの間、本実施の形態によれば、上述したように奥方に向けて漸次上方に傾斜するようにカード載置台５１を構成しているとともに、カード載置台５１の下端縁部にストッパ部材５２を設けるようにしている。従って、利用者が任意の位置にＩＣカードＣを載置させたとしても、その後にカード載置台５１の傾斜に従ってＩＣカードＣが下方に案内され、さらにその一辺がストッパ部材５２に当接することになり、カード載置台５１に対するＩＣカードＣの載置位置、換言すれば、カード処理部１００に対するＩＣカードＣの載置位置を常にほぼ一定とすることができるようになる。
【００３４】
ＩＣカードＣの残高を表示した主制御部９０は、その後、紙幣の投入待ちとなる（ステップＳ１０５）。この状態から利用者が紙幣投入口３１に紙幣を投入すると、主制御部９０は、紙幣鑑別部３０を通じて紙幣の金種を鑑別し、その鑑別した金種に相当する金額を投入金額として表示器２０に表示を行う（ステップＳ１０６）。この結果、ＩＣカード用入金装置の利用者は、投入した紙幣の確認を行うことができるようになる。
【００３５】
投入金額の表示を行った主制御部９０は、その後、操作ボタン４０，４１，４２の入力待ちとなる（ステップＳ１０７、ステップＳ１０８）。利用者によって取消ボタン４１がＯＮ操作された場合、主制御部９０は、紙幣鑑別部３０を通じて投入紙幣の返却を行い（ステップＳ１０９）、その後、今回の処理を終了する。
【００３６】
一方、入力待ちの状態において利用者が入金ボタン４０をＯＮ操作した場合、主制御部９０は、ＩＣカードＣの残高と投入金額との加算結果をカード処理部１００に送信し、カード処理部１００を通じてＩＣカードＣの金額情報を更新する処理を行う（ステップＳ１１０）。具体的には、カード処理部１００とＩＣカードＣとの間で無線通信が行われ、カード処理部１００が送信した加算結果となる金額情報が新たな金額情報としてＩＣカードＣに記録されることになる。この間、紙幣鑑別部３０によって鑑別された紙幣は、装置本体１０の内部に設けた紙幣収容金庫３２に収容されることになる。
【００３７】
ＩＣカードＣの金額情報を更新した主制御部９０は、その後、レシートボタン４２の入力待ちとなる（ステップＳ１１１、ステップＳ１１２）。予め設定した待ち時間にレシートボタン４２がＯＮ操作されなかった場合、主制御部９０は、後述するレシートＲの印字処理を行うことなく手順をステップＳ１１４に移行させる。
【００３８】
一方、上記待ち時間が経過するまでの間に利用者によってレシートボタン４２がＯＮ操作された場合、主制御部９０は、印字部６０を通じてレシートＲを印字し、これをレシート排出口６１から排出する処理を行う（ステップＳ１１３）。
【００３９】
印字部６０から排出されるレシートＲとは、例えば追加入金処理を実行した日時、ＩＣカード用入金装置の識別情報、ＩＣカードＣの残高、投入金額、加算結果等々、追加入金処理の内容を具体的に示す情報を印字したものである。従って利用者は、このレシートＲを受け取ることにより、印字内容から今回の処理内容を確認することができるようになる。
【００４０】
ここで、本実施の形態によれば、レシート排出口６１から排出されたレシートＲがカード載置台５１に排出されるように構成してある。従って、ＩＣカード用入金装置にレシート専用の受台を設けなくとも、レシート排出口６１から排出されるレシートＲを利用者が直接手で受け取る必要がなくなる。しかも、レシートＲの排出先には追加入金処理を終了したＩＣカードＣが載置されているため、カード載置台５１からＩＣカードＣとともにレシートＲを受け取ることが可能となり、追加入金処理に関わる操作を著しく向上させることができるようになる。
【００４１】
レシートＲの排出を終了した主制御部９０は、上述した一連の追加入金処理に関する入金処理情報を処理情報格納部１１０に格納し（ステップＳ１１４）、今回の処理を終了する。
【００４２】
ステップＳ１１４において主制御部９０が処理情報格納部１１０に格納する入金処理情報とは、例えば追加入金処理を実行した日時、ＩＣカードＣの識別番号、ＩＣカードＣの残高、投入金額、加算結果等々、追加入金処理の内容を具体的に示す情報である。この入金処理情報は、ＩＣカードＣを用いた電子マネーシステムにおいて利用者が使用可能となる価値情報（バリュー）の基準となるもので、個々のＩＣカード用入金装置において適宜集計処理された後、遠隔のサーバ装置Ｓによって一元管理されることになる。
【００４３】
図６は、処理情報格納部１１０に格納した入金処理情報の集計処理を行う場合に主制御部９０が実行する処理の内容を示したフローチャートである。以下、このフローチャートを参照しながらＩＣカード用入金装置において入金処理情報の集計処理を行う場合の動作について説明する。尚、本実施の形態においては、印字部６０への用紙の補給を迅速に実行できるように外部施錠手段７０を施解錠するための外部キーは運用側の任意のものが取り扱い可能となる一方、紙幣鑑別部３０や紙幣収容金庫３２の操作が可能となる内部施錠手段８０の内部キーは運用側であっても責任者となり得るもののみが取り扱うことができるように設定してあるものとする。
【００４４】
まず、主制御部９０は、施解錠検出手段８２を通じて内部施錠手段８０が施錠状態にあるか解錠状態にあるかを監視している（ステップＳ２０１）。内部施錠手段８０が施錠状態にある場合には、内扉体１４によって紙幣収容金庫３２に対する操作が阻止された状態であり、内部に収容された紙幣が外部に持ち出されて入金処理情報との間に矛盾を来す虞れもない。従って、主制御部９０は、後述する処理を行うことなく今回の処理を終了する。
【００４５】
一方、施解錠検出手段８２を通じて内部施錠手段８０が解錠状態にあることを検出した場合、つまり、運用側責任者の内部キーを用いた解錠操作によって内部施錠手段８０が解錠されると、主制御部９０は、集計処理部１２０を通じて処理情報格納部１１０に記録された入金処理情報の集計処理を行い、その集計結果を取得する処理を実行する（ステップＳ２０２）。さらに主制御部９０は、集計処理部１２０を通じて処理情報格納部１１０の入金処理情報をクリアする処理を実行する（ステップＳ２０３）。
【００４６】
集計結果を取得した主制御部９０は、その後、印字部６０を通じて当該集計結果を集計用レシートとして出力する処理を行い（ステップＳ２０４）、さらに外部通信処理部１３０を通じて入金処理情報の集計結果をサーバ装置Ｓに送信する処理を実行する（ステップＳ２０５）。この結果、内部施錠手段８０を解錠操作した運用側責任者は、出力された集計用レシートを通じて入金処理情報の集計結果を認識することができるようになり、また入金処理情報を受信した遠隔のサーバ装置Ｓにおいて入金処理情報の一元管理を行うことが可能となる。
【００４７】
次いで、上記主制御部９０は、施解錠検出手段８２を通じて内扉体１４が閉成されたか否かを監視するとともに（ステップＳ２０６）、紙幣検出手段３３を通じて紙幣収容金庫３２に紙幣が有るか否かの監視を行う（ステップＳ２０７）。
【００４８】
施解錠検出手段８２が内扉体１４の閉成を検出した後に紙幣検出手段３３が紙幣有りを検出した場合、つまり処理情報格納部１１０の入金処理情報を集計し、かつこれをクリアしたにも関わらず、紙幣収容金庫３２の紙幣を回収し忘れたことを検出した場合、主制御部９０は、報知手段１４０を駆動して警告音を発する（ステップＳ２０８）。この報知手段１４０による警告音は、内扉体１４が開成されるまで継続的に発生し、また再度紙幣収容金庫３２の紙幣を回収することなく内扉体１４を閉成した場合に再び発生することになる。すなわち、紙幣収容金庫３２の紙幣を回収しない限り内扉体１４を閉成した場合に常に報知手段１４０が駆動して警告音が発生することになる。従って、運用側責任者に対して紙幣を回収し忘れたことを認識させることができるようになり、これを解消させることができるようになる。
【００４９】
これらの結果、上記ＩＣカード用入金装置によれば、サーバ装置Ｓに対する入金処理情報の送信処理と紙幣の回収とを常に合致させることができるようになり、両者の不一致による問題が発生する事態を未然に防止することが可能となる。
【００５０】
尚、上述した実施の形態では、貨幣入金処理装置として、電子マネーシステムに適用される非接触型のＩＣカードＣに対して追加入金を行うＩＣカード用入金装置を例示しているが、必ずしもＩＣカードに対して追加入金を行うものに限らず、投入された貨幣に応じて所定の入金処理を実行した場合に、当該入金処理に関する入金処理情報を都度記録するとともに、投入された貨幣を貨幣収容部に収容するものであれば、精算機、チケット販売機、両替機等々、その他の貨幣入金処理装置にも適用することが可能である。
【００５１】
また、上述した実施の形態では、内扉体の施解錠状態を介して貨幣収容部が操作されたか否かを検出するようにしているが、その他の方法によって貨幣収容部が操作されたか否かを検出するようにしてももちろん良い。例えば貨幣収容部に貨幣があるか否かを検出する貨幣検出手段を設け、この貨幣検出手段が貨幣なしを検出した場合に貨幣収容部が操作されたとして入金処理情報を集計するようにすることも可能である。
【００５２】
尚、入金処理情報の集計に伴って実行する入金処理情報のクリア処理（ステップＳ２０３）、集計結果を印字出力する処理（ステップＳ２０４）、集計結果をサーバ装置Ｓに送信する処理（ステップＳ２０５）は、必ずしもこの順序に従って実行する必要はない。
【図面の簡単な説明】
【００５３】
【図１】本発明の実施の形態である貨幣入金処理装置の外観を概念的に示す斜視図である。
【図２】図１に示した貨幣入金処理装置の内部を示す斜視図である。
【図３】図１に示した貨幣入金処理装置のさらに内部を示す斜視図である。
【図４】図１に示した貨幣入金処理装置の内部構成を示すブロック図である。
【図５】図１に示した貨幣入金処理装置においてＩＣカードに追加入金を行う場合に主制御部が実行する処理の内容を示すフローチャートである。
【図６】図１に示した貨幣入金処理装置において入金処理情報の集計処理を行う場合に主制御部が実行する処理の内容を示すフローチャートである。
【符号の説明】
【００５４】
１１      本体筐体
１３      内部収容室
１４      内扉体
３０      紙幣鑑別部
３１      紙幣投入口
３２      紙幣収容金庫
３３      紙幣検出手段
８０      内部施錠手段
８１      内部キー孔
８２      施解錠検出手段
９０      主制御部
１００      カード処理部
１１０      処理情報格納部
１２０      集計処理部
１３０      外部通信処理部
１４０      報知手段
１５０      メモリ
Ｃ      ＩＣカード
【図１】
2005284360.tif 000003
【図２】
2005284360.tif 000004
【図３】
2005284360.tif 000005
【図４】
2005284360.tif 000006
【図５】
2005284360.tif 000007
【図６】
2005284360.tif 000008